(57)【要約】      （修正有）【課題】傘や杖等各種サイズの石突に着脱自在に取付けられ、別売りも可能な転倒防止具の提供。【解決手段】転倒防止具の保持構造部６に傘や杖等の石突を取り付ける。転倒防止具の可動部４が可動し底面部２が接地面から浮くのを防止する。また底面部に付けた吸盤や凹凸３が接地面との吸着力、摩擦力を増大させる。構造も保持部５、可動部、底面部、ボディー部１の単一体構成で鎖、ゴム紐、クリップ等の壊れ易い部品はなく、別売りなので傘や杖等の価格上昇要因にならない。【選択図】図１
2013143982.tif 000002
【特許請求の範囲】
【請求項１】
底面に滑り止め機能のあるボディー部と、このボディー部の外側または内側に設けられた自由方向または一定方向に可動する可動部と、この可動部に延設または内部に構成されていて石突を保持する保持構造部または異形の石突を保持する異形保持構造部を備えている保持部と、からなることを特徴とする傘、杖の転倒防止具。
【請求項２】
前記可動部が前記保持部の、または前記保持部が前記可動部の、機能を合せ持った請求項１記載の傘、杖の転倒防止具。
【請求項３】
前記石突に前記保持部の、または前記可動部の、または前記保持部と前記可動部の、機能を合せ持たせた請求項１記載の傘、杖の転倒防止具。
【請求項４】
前記ボディー部と、前記可動部と、前記保持部と、が一体成型加工されたものであることを特徴とする請求項１ないし請求項３記載の傘、杖の転倒防止具。
【発明の詳細な説明】
【技術分野】
【０００１】
本発明は転倒防止具に関するもので、特に転倒防止具の保持部の保持構造部に傘や杖の石突を取り付けて使用するものである。
【背景技術】
【０００２】
傘や杖等は石突部が尖っているため壁等に立て掛けておくと滑って倒れてしまう。特に電車等の移動体の中では常に気を配り握っていなければならないし、傘立等がない所では倒れた傘や杖等が往来の危険な障害物となり美観を損ねている。
【０００３】
このような問題を解決するものとして、傘のフック端部と石突部とにゴム製の滑り防止用の先端プラグを設けたものが提案されている（例えば特許文献１、図３０参照）。
然しながら、このものを壁等に立て掛けた時に石突部の先端プラグの大部分が接地面から浮く所謂部分当たりとなるので、十分な摩擦部材の作用・効果が得られないため、柄側にも滑り止め部材が使用されたものとなっているが、やはり振動等の外乱に対する滑り抵抗力は低く、かつ個々の傘における専用の消耗部品となるため管理の猥雑性があり、ひいては本体の価格上昇に繋がっている。
【先行技術文献】
【特許文献】
【０００４】
【特許文献１】特開２００１−２２２号公報（図３０参照）
【発明の概要】
【発明が解決しようとする課題】
【０００５】
本発明は以上のような従来の欠点に鑑み、傘や杖等の各種サイズの石突に着脱自在取付けられ別売りも可能な構造体とし、床面に当接する底面を基軸として垂直方向に自立性を持ちながらも、壁に立て掛けた時でも底面が床面から浮くことなく所謂面当たりを維持することにより、振動等の外乱に対する滑り抵抗力が高く倒れにくい、安価な構造の転倒防止具を提供することを目的としている。
【０００６】
本発明の前記ならびにそのほかの目的と新規な特徴は次の説明を添付図面と照らし合わせて読むと、より完全に明らかになるであろう。ただし図面はもっぱら解説のためのものであり、本発明の記述的範囲を限定するものではない。
【課題を解決するための手段】
【０００７】
上記目的を達成する為に、本発明は底面に滑り止め機能のあるボディー部と、このボディー部の外側または内側に設けられた自由方向または一定方向に可動する可動部と、この可動部に延設またはこの可動部の内部に構成されていて石突を保持する保持構造部または異形の石突を保持する異形保持構造部を備えている保持部と、で転倒防止具を構成している。
【０００８】
また前記可動部に前記保持部の、または前記保持部に前記可動部の、機能を合せ持たせたものでもよい。
【０００９】
また前記石突に前記保持部の、または前記可動部の、または前記保持部と前記可動部の、機能を合せ持たせたものでもよい。
【００１０】
また前記ボディー部と、前記可動部と、前記保持部と、が一体成型加工されたものであってもよい。
【発明の効果】
【００１１】
以上の説明から明らかなように、本発明にあっては次に列挙する効果が得られる。
（１）底面を基軸として自立性を持ちながら、傘や杖を壁等に立て掛けたときにでも、可動部の働きによって底面の滑り止め部と床面とが全面当たりを維持し、この間に摩擦力と自立力が作用するので、石突部及び柄部が滑って転倒しないようにできる。
【００１２】
（２）可動部を一定方向に可動するようにしたガード部の働きによって、傘や杖が傘や杖の柄から壁面等に対し左右に沿って滑り出し倒れることを防ぐことができる。
【００１３】
（３）異形の石突を保持する異形保持構造によって、手持ちの傘、杖等のあらゆる石突に使用できる汎用性の高く、かつ不要な時は収納しておくこともできるので本来の傘、杖の美観を損なうことがない。
【００１４】
（４）石突に保持部の、または可動部の、または保持部と可動部の、機能を合せ持たせることにより保持部と可動部を省略できるのでコストダウンにつながる。
【００１５】
（５）単純な構造なので一体成型加工が可能であり、生産性が高く趣向性豊かにして識別力備えたキャラクター化も可能で、かつ安価な転倒防止具を提供・別売できる。
【図面の簡単な説明】
【００１６】
【図１】本発明を実施するための第１の形態の斜視図
【図２】本発明を実施するための第１の形態の縦断面図
【図３】本発明を実施するための第１の形態の使用図
【図４】本発明を実施するための第１の形態の一部を破断して示した使用図
【図５】本発明を実施するための第２の形態の一部を破断して示した正面図
【図６】本発明を実施するための第２の形態の一部を破断して示した使用図
【図７】本発明を実施するための第３形態の斜視図
【図８】本発明を実施するための第３の形態の縦断面図
【図９】本発明を実施するための第３の形態の図８のA-Aの端面図
【図１０】本発明を実施するための第３の形態の一部を破断して示した使用図
【図１１】本発明を実施するための第４の形態の縦断面図
【図１２】本発明を実施するための第４の形態の一部を破断して示した使用図
【図１３】本発明を実施するための第５の形態の鳥瞰図
【図１４】本発明を実施するための第５の形態の図１３のB-Bの端面図
【図１５】本発明を実施するための第５の形態の図１３のC-Cの端面図
【図１６】本発明を実施するための第５の形態の破断して示した使用図
【図１７】本発明を実施するための第６の形態の正面の破断図
【図１８】本発明を実施するための第６の形態の側面から見た一部を破断して示した使用図
【図１９】本発明を実施するための第７の形態の一部を破断して示した正面図
【図２０】本発明を実施するための第７の形態の側面から見た一部を破断して示した使用図
【図２１】本発明を実施するための第８の形態の正面図
【図２２】本発明を実施するための第８の形態の側面図
【図２３】本発明を実施するための第８の形態の使用図
【図２４】本発明を実施するための第９の形態の斜視図
【図２５】本発明を実施するための第９の形態の一部を破断して示した使用図
【発明を実施するための形態】
【００１７】
以下、図面に示す発明を実施する為の形態により本発明を詳細に説明する。
【００１８】
図１ないし図４の本発明を実施するための第１の形態において、１はボディー部である。２はボディー部１の底面部で滑り止め用の波形の凸凹３が設けられている。４はボディー部１に取付けられた可動部である。５は可動部４に延設されて設けられた保持部である。６は保持部５の内部の石突９を保持する空洞状の保持構造部である。７は異形石突の使用を可能とするために保持構造部６と同心位置で伸縮する保持構造を備えて設けられた異形保持部補助部材である。
【００１９】
上記構成の転倒防止具の保持構造部６に石突９を挿入する。保持構造部６を成形する保持部５は弾力性と密着性があり、異形保持部補助部材７と共に種々の形の石突９を着脱可能とし、かつすっぽ抜けないようにできる。傘や杖を壁や膝等に立て掛けると傘や杖や手の加重でゴム等の弾性のある材質で作られた可動部４が可動し、底面部２が床等の接地面から浮くのを防ぎ摩擦力や吸着力を最大限にする。また底面部２は波形３の凹凸で接地面との間の摩擦力を増強しているが、これを吸盤や切込やボッチ状の凹凸にしてもよい。またボディー部１をキャラクター化すれば所有の識別が容易になり、取替防止に役立ち個人の嗜好も満足させることができる。また可動部４は蛇腹やバネでもよい。
【００２０】
次に図５ないし図２５に示す本発明を実施するための異なる形態につき説明する。なおこれらの本発明を実施するための異なる形態の説明に当たって、前記本発明を実施するための第１の形態と同一構成部分には同一符号を付し重複する説明を省く。
【００２１】
図５ないし図６に示す本発明を実施するための第２の形態において、前記本発明を実施するための第１の携帯と主に異なる点は、保持部５を石突ストッパー８を備えた伸縮性と密着性のあるキャップ構造１０とした点で、このように構成した転倒防止具でも石突ストッパー８の下部１１が可動部４の効果を併せ持ち、前記本発明を実施するための第１の形態と同じ作用効果が得られる。
【００２２】
図７ないし図１０に示す本発明を実施するための第３の形態において、前記本発明を実施するための第１の形態と主に異なる点は、可動部４の可動方向を制限するガード部１２を設けた点と、保持部５に石突９を取り付ける際の取付目印１３を付けた点である。ガード部１２は可動部４の側面に設けられ可動部４の可動方向を定めている。傘の柄１４の壁等に寄り掛けた平らな面１５と可動部４の可動方向が垂直に交わるように石突９を保持構造部６に取り付けることにより、可動部４は壁等と平行に曲がらないので壁等に寄り掛けた傘や杖の平らな面１５が壁等に沿って滑り始め倒れることを防ぐ。保持部５のガード部１２のない面の中央に付けられた取付目印１３と柄１４の平らな面１５が同一面にくるように石突９を付ければ、平らな面１５と壁等との間に最大の接触面を確保して本考案の転倒防止具を取り付けることができる。
【００２３】
図１１ないし図１２に示す本発明を実施するための第４の形態において、前記本発明を実施するための第３の形態と主に異なる点は、可動部４を球体１６にしガード部１２を取除いた点で、このように構成した転倒防止具でも球体１６の前後の切込１７がガード部１２の効果を合せ持ち、前記本発明を実施するための第３の形態と同様の作用効果が得られる。またきつめの球体にすればポジション維持の効果も得られる。
【００２４】
図１３ないし図１６に示す本発明を実施するための第５の形態において、前記本発明を実施するための第４の形態と主に異なる点は、ボディー部１の内部に設けた可動部４である球体１６の中に保持部５を形成し、球体１６の石突９を取り付ける取付口１８の周囲に第２のガード部１９と、更にガード部１９を囲むようにしてボディー部１に従来のガード部１２を設けた点で、このように構成した転倒防止具でも可動部４である球体１６が保持部５の機能を合せ持ち、前記本発明を実施するための第４の形態と同様の作用効果が得られる。またきつめの球体にすればポジション維持の効果も得られる。
【００２５】
図１７ないし図１８に示す本発明を実施するための第６の形態において、前記本発明を実施するための第５の形態と主に異なる点は、ボディー部１の内側の球体１６を石突９が一定方向に動くように形作った空間２０にし、ガード部１２とガード部１９を取り除き、石突９を取付ける取付口１８に石突９を保持する保持部５を止め具２１で取付け可動部４とした点で、このように構成した転倒防止具でも保持部５が止め具２１を軸にして回転し可動部４である球体１６の機能を合せ持ち、前記本発明を実施するための第５の形態と同様の作用効果が得られる。
【００２６】
図１９ないし図２０に示す本発明を実施するための第７の形態において、前記本発明を実施するための第６の形態と主に異なる点は、止め具２１で留められた可動部４をネジ２２に、石突９の先端をネジ２３にし保持部５を取り払った点で、このように構成した転倒防止具でも石突９が保持部５の機能を合せ持ち、前記本発明を実施するための第６の形態と同様の作用効果が得られる。
【００２７】
図２１ないし図２３に示す本発明を実施するための第８の形態において、前記本発明を実施するための第４の形態と主に異なる点は、可動部４の球体１６を反り板２４にした点で、このように構成した転倒防止具でも反り板２４がガード部１２の効果を合せ持ち、前記本発明を実施するための第４の形態と同様の作用効果が得られる。
【００２８】
図２４ないし図２５に示す本発明を実施するための第９の形態において、前記本発明を実施するための第８の形態と主に異なる点は、保持部５の側面にスリット２５を入れスリット２５の締付具２６を設けた点で、このように構成した転倒防止具でも前記本発明を実施するための第８の形態と同様の作用効果が得られる。また締付具２６により保持部５は密着性や弾力性のない材質も使用可能となる。また保持部５に締付具２６の効果のあるバネの機能を持たせてもよい。なお逆転の発想でスリット２５を石突９に形成して異形保持部補助部材７の一変形態として保持部５をスリット２５に嵌め込める形状にしてもよいし、保持部５と石突９に形成したネジにしてもよい。
【産業上の利用可能性】
【００２９】
本発明は転倒防止具を製造する産業で利用できる。
【符号の説明】
【００３０】
１ボディー部
２ボディー部１の底面部
３底面部２の波形の凸凹
４可動部
５保持部
６保持部の空洞状の保持構造部
７異形保持部補助部材
８石突ストッパー
９石突
１０キャップ構造の保持部
１１石突ストッパー８の下の部分
１２ガード部
１３保持部の取付目印
１４傘の柄
１５柄の平らな面
１６球体
１７球体の前後の切込
１８石突９を取付ける取付口
１９球体１６に付けた第２のガード部
２０石突９が一定方向に動く空間
２１空間２０の入口の保持部の止め具
２２可動部４に設けられたネジ
２３石突９に設けられたネジ
２４反り板
２５保持部のスリット
２６スリット２５の締付具
【図１】
2013143982.tif 000003
【図２】
2013143982.tif 000004
【図３】
2013143982.tif 000005
【図４】
2013143982.tif 000006
【図５】
2013143982.tif 000007
【図６】
2013143982.tif 000008
【図７】
2013143982.tif 000009
【図８】
2013143982.tif 000010
【図９】
2013143982.tif 000011
【図１０】
2013143982.tif 000012
【図１１】
2013143982.tif 000013
【図１２】
2013143982.tif 000014
【図１３】
2013143982.tif 000015
【図１４】
2013143982.tif 000016
【図１５】
2013143982.tif 000017
【図１６】
2013143982.tif 000018
【図１７】
2013143982.tif 000019
【図１８】
2013143982.tif 000020
【図１９】
2013143982.tif 000021
【図２０】
2013143982.tif 000022
【図２１】
2013143982.tif 000023
【図２２】
2013143982.tif 000024
【図２３】
2013143982.tif 000025
【図２４】
2013143982.tif 000026
【図２５】
2013143982.tif 000027